(57)【要約】【課題】  利用者がアイコン画像をカスタマイズするとともにその表示位置を変更することができ、表示部の劣化を抑制することができる携帯電話を提供する。【解決手段】  携帯電話１０は、表示部２３と、表示メモリ２６と、アイコン表示制御部２５と、カスタマイズデータ記憶部３０と、カスタマイズ処理部２９と、表示位置選択部２８とを備える。カスタマイズデータ記憶部２９には、複数のアイコン画像パターンとアイコン表示位置パターンが記憶され、カスタマイズ処理部２９は利用者が設定したアイコン画像データパターンを選択し、表示位置選択部２８は利用者が設定したアイコン画像表示位置データパターンを選択し、アイコン表示制御部２５はアイコン画像表示位置データに基づいてカスタマイズ処理部２９が選択したアイコン画像データを表示メモリ２６に展開して表示部２３に表示する。【選択図】        図１
2007180951.tif 000002
【特許請求の範囲】
【請求項１】
機器の各種機能の状態を視覚的に識別し易いアイコン画像として表示画面の所定の表示位置に表示するようにした携帯電話において、
前記携帯電話は、表示部と、表示メモリと、アイコン表示制御部と、カスタマイズデータ記憶部と、カスタマイズ処理部と、表示位置選択部と、を備え、
前記カスタマイズデータ記憶部には、前記各種機能の状態を表示する各アイコン画像を予め複数の異なるアイコン画像データとして記憶するとともに、各種機能の状態を表示する各アイコン画像ごとの前記表示部における表示位置を予め複数の異なるアイコン画像表示位置データとして記憶し、前記カスタマイズ処理部は前記カスタマイズデータ記憶部に記憶された複数のアイコン画像データから、利用者が設定したアイコン画像データを選択し、前記表示位置選択部は前記カスタマイズデータ記憶部に記憶されたアイコン画像表示位置データから、利用者が設定したアイコン画像表示位置データを選択し、前記アイコン表示制御部は前記アイコン画像表示位置データに基づいて前記カスタマイズ処理部が選択したアイコン画像データを表示メモリに展開し、前記表示部に表示することを特徴とする携帯電話。
【請求項２】
前記各種機能の状態を表示する各アイコン画像を予め複数の異なるアイコン画像データとしてカスタマイズデータ記憶部に記憶するアイコン画像データには、画像形状が同一でサイズが異なるアイコン画像データを含むことを特徴とする請求項１に記載の携帯電話。
【請求項３】
前記携帯電話は、更に、時計部を備え、
前記表示位置選択部は、前記時計部により所定時間経過したことが検出されると、前記カスタマイズデータ記憶部に記憶された複数の異なるアイコン画像表示位置データから順次異なるアイコン画像表示位置データを選択することを特徴とする請求項１または請求項２に記載の携帯電話。
【請求項４】
前記表示位置選択部は、前記時計部により所定時間経過したことが検出されると、前記カスタマイズデータ記憶部に記憶された複数の異なるアイコン画像表示位置データからサイズの異なるアイコン画像表示位置データを選択することを特徴とする請求項３に記載の携帯電話。
【請求項５】
前記携帯電話は、更に、時計部を備え、
前記表示位置選択部は、前記時計部により所定時間経過したことが検出されると、前記カスタマイズデータ記憶部に記憶された複数の異なるアイコン画像表示位置データからランダムに異なるアイコン画像表示位置データを選択することを特徴とする請求項１または請求項２に記載の携帯電話。
【請求項６】
前記表示位置選択部は、前記時計部により所定時間経過したことが検出されると、前記カスタマイズデータ記憶部に記憶された複数の異なるアイコン画像表示位置データからランダムにサイズの異なるアイコン画像のアイコン画像表示位置データを選択することを特徴とする請求項５に記載の携帯電話。
【発明の詳細な説明】
【技術分野】
【０００１】
本発明は、機器の各種状態を視覚的に識別し易いアイコンとして表示画面の所定の表示位置に表示するようにした携帯電話に関するものであり、特に、利用者の嗜好に合わせて表示するアイコン画像をカスタマイズするとともに、液晶表示ユニットにおける劣化を抑制するようにした携帯電話に関するものである。
【背景技術】
【０００２】
近年の情報処理技術、通信技術の発展に伴い種々の携帯型の情報通信端末装置（以下、携帯端末装置という）が広く普及している。このような携帯端末装置によって、利用者が外出先からインターネットなどのネットワークを介して種々サービスを提供する情報配信サーバや所望のウェブサイトに接続して当該サービスを受け、あるいは情報を取得したり、自社のネットワークに接続したりして業務上必要な情報を取得することができる。
【０００３】
最近では、携帯電話のハード、ソフト機能が充実し、従来の携帯端末装置の機能を兼ねるようになってきており、携帯電話の普及率の拡大にはめざましいものがある。携帯電話を利用したデータ通信サービスを提供する事業者も増加しており、携帯電話を利用してバンキング、インターネット販売、ナビゲーション、自動販売機、交通機関やコンビニエンスストアなどの代金決済など、様々なサービスを受けることができるようになってきている。特に携帯電話においては種々のオプションやアプリケーションが搭載可能であり、利用できるサービスの種類も豊富になってきている。
【０００４】
また、第３世代と称される携帯電話にはＧＰＳ受信機が搭載され、携帯電話自体が位置する現在位置（緯度・経度）を測定することができ、携帯電話を端末装置としたナビゲーションシステムも実用化されている。このような測位システムを利用して、高齢者や児童などの位置確認や、犯罪や火災などの事件、事故における通報時の位置確認などに利用できるシステムも種々検討されている。
【０００５】
更に、利用者は、サービス事業者が提供するブラウザやアプリケーション、ゲームソフトのように携帯電話用として開発された様々なアプリケーションなどを自身が所有する携帯電話にインストールして所望のサービスや機能を追加するためカスタマイズすることができる。
【０００６】
このような携帯電話においては、携帯電話の各種状態を視覚的に識別し易いアイコン画像として表示画面の所定の表示位置に表示するようにしている。図８は携帯電話に表示される各種状態表示アイコン画像の一例を示す図である。図８に示すように、送受信電波の強度はアンテナの形状をしたアイコン画像Ａとして表示し、利用者が視覚的に電波の受信状態が認識できるようにされる。同様にアイコン画像Ｂは電話の着信を示し、アイコン画像Ｃはメールの着信を示し、アイコン画像Ｄは電池残量を示し、アイコン画像Ｅはマナーモード設定中であることを示すアイコン画像である。
【０００７】
これらのアイコン画像は携帯電話の液晶表示画面の所定の表示領域に表示される。図９は表示画面に各種アイコン画像が携帯電話の状態に応じて表示された例を示す図である。一般には、各種アイコン画像を表示する領域は表示画面の所定の表示領域を状態表示領域として区切り、この状態表示領域に表示される。図９に示す表示画面の例では、表示画面の上部と下部にそれぞれ状態表示領域１、状態表示領域２が区画され、この区画にアイコン画像が表示される。
【０００８】
また、状態表示領域のどの位置にどのアイコン画像を表示するかも標準的に固定されており、例えば、図９に示すように、電波の強度を示すアイコン画像Ａは、状態表示領域１の一番左側に常に表示されるように定められている。
【０００９】
アイコン画像による状態の変化は、図１０に示すようにアンテナや電池の形状をした画像に付加される補助画像１ａや補助画像１ｂによって表現される。例えば、電波の受信状態を示すアイコン画像Ａにあっては、アンテナの形状をした画像の横に棒状の補助画像１ａを受信状態に応じて複数本表示することによって表現する。電池残量を示すアイコン画像Ｄにあっては、残量を示す補助画像１ｂを残量に応じて複数表示することによって表現する。
【００１０】
このようなアイコン画像は携帯電話のメーカーによって設計され、機器に組み込まれるのが一般的である。従って利用者は携帯電話に予め組み込まれた備えられたアイコン画像を使用せざるを得ないのが現状である。利用者の中には自分が持つ携帯電話を自分の嗜好に沿ってカスタマイズしたり、他の利用者が持つ携帯電話と差別化して使用したいという要望を有する利用者も多い。現状の携帯電話ではこのような利用者の多様なニーズに適応できないという問題があった。
【００１１】
上記のような利用者のニーズに応えるため、例えば、下記の特許文献１（特開２００２−２２９７０５号公報）には、状態表示する機能ごとに予め用意された複数のアイコン画像から所望のアイコン画像を選択し、選択したアイコン画像を編集したりしてカスタマイズできるようにした移動体通信機器が開示されている。
【００１２】
この特許文献１に開示された移動体通信機器は、情報提供用の表示体(アイコン等)を画面表示する表示部を備える移動体通信機器において、表示体に変更や作成等によるカスタマイズを施すメニュー画面を表示する表示体カスタマイズメニュー表示手段と、機器が保有する表示体から希望する表示体を選択してカスタマイズを実行させる表示体カスタマイズ手段と、カスタマイズに伴なう表示体のファイル管理を実行できる表示体ファイル管理手段と、を備えて構成したものである。
【特許文献１】特開２００２−２２９７０５号公報（図２、図３、段落［００１０］、［００１４］）
【発明の開示】
【発明が解決しようとする課題】
【００１３】
ところで、携帯電話の表示部は一般的には液晶表示ユニットで構成されている。液晶表示ユニットにおいて、同一の表示画素に長時間画像を固定的に表示すると、いわゆる「焼きつき」と称される現象を生じて画素が劣化することが知られている。このため、アイコン画像を表示画面の固定的な表示位置に表示すると表示画素を劣化させるという問題点が生じる。
【００１４】
しかしながら、上記特許文献１に開示された移動体通信機器においては、利用者がアイコン画像をカスタマイズする手段は提供されるが、表示部の劣化に対する考慮がなされておらず、機器の劣化を生じるという問題点を解消することはできない。
【００１５】
本願の発明者は、上記問題点を解消すべく種々検討を重ねた結果、利用者がアイコン画像をカスタマイズした際に、その表示位置を変更することができるように構成すれば上記問題点を解消し得ることに想到して本発明を完成するに至ったものである。
【００１６】
すなわち、本発明は上記の問題点を解消することを課題とし、利用者がアイコン画像をカスタマイズするとともにその表示位置を変更することができ、表示部の劣化を抑制することができる携帯電話を提供することを目的とするものである。
【課題を解決するための手段】
【００１７】
前記課題を解決するために、本願の請求項１にかかる発明は、
機器の各種機能の状態を視覚的に識別し易いアイコン画像として表示画面の所定の表示位置に表示するようにした携帯電話において、
前記携帯電話は、表示部と、表示メモリと、アイコン表示制御部と、カスタマイズデータ記憶部と、カスタマイズ処理部と、表示位置選択部と、を備え、
前記カスタマイズデータ記憶部には、前記各種機能の状態を表示する各アイコン画像を予め複数の異なるアイコン画像データとして記憶するとともに、各種機能の状態を表示する各アイコン画像ごとの前記表示部における表示位置を予め複数の異なるアイコン画像表示位置データとして記憶し、前記カスタマイズ処理部は前記カスタマイズデータ記憶部に記憶された複数のアイコン画像データから、利用者が設定したアイコン画像データを選択し、前記表示位置選択部は前記カスタマイズデータ記憶部に記憶されたアイコン画像表示位置データから、利用者が設定したアイコン画像表示位置データを選択し、前記アイコン表示制御部は前記アイコン画像表示位置データに基づいて前記カスタマイズ処理部が選択したアイコン画像データを表示メモリに展開し、前記表示部に表示することを特徴とする。
【００１８】
また、本願の請求項２にかかる発明は、請求項１にかかる携帯電話において、
前記各種機能の状態を表示する各アイコン画像を予め複数の異なるアイコン画像データとしてカスタマイズデータ記憶部に記憶するアイコン画像データには、画像形状が同一でサイズが異なるアイコン画像データを含むことを特徴とする。
【００１９】
また、本願の請求項３にかかる発明は、請求項１または請求項２にかかる携帯電話において、前記携帯電話は、更に、時計部を備え、前記表示位置選択部は、前記時計部により所定時間経過したことが検出されると、前記カスタマイズデータ記憶部に記憶された複数の異なるアイコン画像表示位置データから順次異なるアイコン画像表示位置データを選択することを特徴とする。
【００２０】
また、本願の請求項４にかかる発明は、請求項３にかかる携帯電話において、
前記表示位置選択部は、前記時計部により所定時間経過したことが検出されると、前記カスタマイズデータ記憶部に記憶された複数の異なるアイコン画像表示位置データからサイズの異なるアイコン画像表示位置データを選択することを特徴とする。
【００２１】
また、本願の請求項５にかかる発明は、請求項１または請求項２にかかる携帯電話において、前記携帯電話は、更に、時計部を備え、前記表示位置選択部は、前記時計部により所定時間経過したことが検出されると、前記カスタマイズデータ記憶部に記憶された複数の異なるアイコン画像表示位置データからランダムに異なるアイコン画像表示位置データを選択することを特徴とする。
【００２２】
また、本願の請求項６にかかる発明は、請求項５にかかる携帯電話において、
前記表示位置選択部は、前記時計部により所定時間経過したことが検出されると、前記カスタマイズデータ記憶部に記憶された複数の異なるアイコン画像表示位置データからランダムにサイズの異なるアイコン画像のアイコン画像表示位置データを選択することを特徴とする。
【発明の効果】
【００２３】
請求項１にかかる発明においては、カスタマイズ処理部は前記カスタマイズデータ記憶部に記憶された複数のアイコン画像データから、利用者が設定したアイコン画像データを選択し、表示位置選択部は前記カスタマイズデータ記憶部に記憶されたアイコン画像表示位置データから、利用者が設定したアイコン画像表示位置データを選択し、アイコン表示制御部はアイコン画像表示位置データに基づいてカスタマイズ処理部が選択したアイコン画像データを表示メモリに展開して表示部に表示する。
【００２４】
このような構成にすれば、利用者は予めカスタマイズデータ記憶部に記憶されたアイコン画像とその表示位置をカスタマイズすることができるようになる。また、標準のアイコン画像表示位置と異なる位置にアイコン画像を表示させることができるので、焼きつきによる表示ユニットの劣化を抑制することができるようになる。
【００２５】
また、請求項２にかかる発明においては、請求項１にかかる携帯電話において、前記各種機能の状態を表示する各アイコン画像を予め複数の異なるアイコン画像データには、画像形状が同一でサイズが異なるアイコン画像データを含む。
【００２６】
このような構成により、サイズの異なるアイコン画像を選択してカスタマイズすることができるようになる。標準のアイコン画像と異なるサイズのアイコン画像を表示させることができるので、焼きつきによる表示ユニットの劣化を抑制することができるようになる。
【００２７】
また、本願の請求項３にかかる発明においては、請求項１または請求項２にかかる携帯電話において、携帯電話は、更に、時計部を備え、前記表示位置選択部は、前記時計部により所定時間経過したことが検出されると、前記カスタマイズデータ記憶部に記憶された複数の異なるアイコン画像表示位置データから順次異なるアイコン画像表示位置データを選択する。
【００２８】
このような構成により、所定時間経過するごとにアイコン画像の表示位置が変更されるので、焼きつきによる表示ユニットの劣化を抑制することができるようになる。
【００２９】
また、本願の請求項４にかかる発明においては、請求項３にかかる携帯電話において、表示位置選択部は、前記時計部により所定時間経過したことが検出されると、前記カスタマイズデータ記憶部に記憶された複数の異なるアイコン画像表示位置データからサイズの異なるアイコン画像表示位置データを選択する。
【００３０】
このような構成により、所定時間経過するごとにアイコン画像のサイズが変更されるので、焼きつきによる表示ユニットの劣化を抑制することができるようになる。
【００３１】
また、本願の請求項５にかかる発明においては、請求項１または請求項２にかかる携帯電話において、前記表示位置選択部は、前記時計部により所定時間経過したことが検出されると、前記カスタマイズデータ記憶部に記憶された複数の異なるアイコン画像表示位置データからランダムに異なるアイコン画像表示位置データを選択する。
【００３２】
このような構成により、所定時間経過するごとにアイコン画像の表示位置が変更されるので、焼きつきによる表示ユニットの劣化を抑制することができるようになる。
【００３３】
また、本願の請求項６にかかる発明においては、請求項５にかかる携帯電話において、前記時計部により所定時間経過したことが検出されると、前記カスタマイズデータ記憶部に記憶された複数の異なるアイコン画像表示位置データからランダムにサイズの異なるアイコン画像のアイコン画像表示位置データを選択する。
【００３４】
このような構成により、所定時間経過するごとにアイコン画像のサイズが変更されるので、焼きつきによる表示ユニットの劣化を抑制することができるようになる。
【発明を実施するための最良の形態】
【００３５】
以下、本発明の具体例を実施例及び図面を用いて詳細に説明する。但し、以下に示す実施例は、本発明の技術思想を具体化するための携帯電話を例示するものであって、本発明をこの携帯電話に特定することを意図するものではなく、特許請求の範囲に含まれるその他の実施形態の携帯電話にも等しく適用し得るものである。
【実施例】
【００３６】
図１は、本発明の実施例にかかるアイコンカスタマイズ機能を備えた携帯電話１０の構成を示すブロック図、図２は図１の携帯電話１０の外観を示す外観図である。
【００３７】
携帯電話１０は、通話部１１と本発明にかかる機能制御部２１から構成されている。通話部１１は、マイク１２とスピーカ１３と無線部１４とから構成されている。無線部１４は、アンテナ、送受信回路、変復調回路、圧縮伸長回路、音声コーデック等を含んでおり、該無線部１４を介してマイク１２から入力された音声を音声信号として送信し、通話の相手方の音声信号を受信してスピーカ１３に出力する。
【００３８】
機能制御部２１は、主制御部２２、表示部２３、操作部２４、アイコン表示制御部２５、表示メモリ２６、時計部２７、表示位置選択部２８、カスタマイズ処理部２９、カスタマイズデータ記憶部３０などを備えて構成されている。主制御部２２は、マイクロコンピュータ、ＲＡＭ、ＲＯＭ等からなりコンピュータ装置として機能し、無線部１４および機能制御部２１の上記各部を制御する。
【００３９】
表示部２３、操作部２４は、携帯電話１０における通話のための表示および操作の他に、インターネット網を介したデータ通信のための操作および表示にも使用される。操作部２４は、通話時に電話番号入力をするため、また、電子メールをはじめとするインターネット網を介した各種のデータ通信サービスを利用するために所望の文字列を入力するために使用される。例えば、メール受信機能を起動している場合には、操作部２４は当該携帯電話１０に着信したメールを受信し、表示部２３は受信したメールを表示するために使用される。
【００４０】
操作部２４には、通話キー２４１、機能選択キー２４３、テンキー２４５が設けられ、通話時にはテンキー２４５を操作して電話番号を入力し、通話キー２４１を操作すると発信できる。また、テンキー２４５には英数字、カタカナ、ひらがなの文字が割り当てられ、図示していない英数カナ変換制御部により文字コード変換が行われる。文字コード変換は、入力モードが英数カナあるいはかな漢字変換モードであるかによりそれぞれ操作されたキーに応じた入力文字コードに変換される。機能選択キー２４３は携帯電話１０の所定の機能を有効にするキーであり、メーカー、機種によりこのキーに割当てられる機能は異なる。
【００４１】
図２は、図１に示す携帯電話１０の外観を示す図である。携帯電話１０は液晶表示ユニットなどで構成された表示部２３と操作部２４とを備えており、操作部２４には通話キー２４１と機能選択キー２４３と複数のテンキー２４５が設けられ、また、参照番号を付していないモードキーや表示部２３に表示された画面の特定表示画像を操作するためのカーソルキーなどを備えている。
【００４２】
本発明の携帯電話１０はカスタマイズデータ記憶部３０に各アイコン画像ごとに複数の画像データのパターンを記憶している。図３はカスタマイズデータ記憶部３０に記憶されたアイコン画像データの構成を示す図である。図３に示すように、アイコン画像Ａ〜アイコン画像Ｎごとにそれぞれパターン１〜パターンＮの画像データが記憶されている。各
パターンにはそれぞれ異なるアイコン画像データが記憶されている。
【００４３】
例えば、電波の受信状態を示すアイコン画像Ａ、電池残量を示すアイコン画像Ｄにおける画像データはパターン１に図８に示した従来の標準的の画像データが記憶され、パターン２には、図４に示すように図８とは異なる画像データが記憶される。図４において、電波の受信状態を示すアイコン画像Ａは標準の画像と異なる補助画像１ａによってその状態の変化を表現するように構成した画像データが記憶される。
【００４４】
また、電池残量を示すアイコン画像Ｄも同様に残量が多い場合から残量が少なくなった場合で電池形状を太線から細かい点線で表現し、表情の異なる顔を表現した絵文字的な補助画像２ｂによって状態の変化を示すように構成した画像データが記憶されている。このように利用者がその嗜好にあった画像データを選択できるようにパターン１パターンＮまでそれぞれのアイコン画像ごとに異なるカスタマイズデータを予め用意しておく。
【００４５】
利用者はカスタマイズ処理部２９によりカスタマイズデータ記憶部３０に記憶されているパターンの中から、所望のパターンの画像データを選択して好みに応じたアイコン画像をカスタマイズすることができる。パターンの選択は、パターンを選択することにより１セットのアイコン画像を設定するように構成してもよく、あるいは、アイコン画像ごとに個々のパターンを選択するように構成してもよい。
【００４６】
更に、カスタマイズ処理部２９において利用者が画像データそのものの変形などの編集を可能とし、新たなカスタマイズデータとしてカスタマイズデータ記憶部３０に追加できるように構成してもよい。また、各アイコン画像のそれぞれのパターンの画像データに、サイズデータを付加しておくことにより、アイコン画像の形状は同じで、サイズの異なるアイコン画像を選択することもできるようになる。もちろん利用者がサイズを選択してカスタマイズデータに付加するように構成してもよい。
【００４７】
なお、アイコン画像を図形で表現することなく、端的な言葉で表現したカスタマイズデータを用意しておくこともできる。例えば、電波の受信状態を示すアイコン画像Ａにおいては、「電波、途切れ途切れ」、「電波、よく聞こえる」など、あるいは、電池残量を示すアイコン画像Ｄにおいては「電池、満腹」、「電池、倒れそう」など擬人化した言葉などで表現してもよい。
【００４８】
図５はカスタマイズデータ記憶部３０に記憶される各アイコン画像の表示位置データの構成を示す図である。図５に示すように、アイコン画像Ａ〜アイコン画像Ｎごとにそれぞれ表示位置パターン１〜表示位置パターンＮの画像データが記憶されている。各表示位置パターンにはそれぞれ異なるアイコン画像の表示位置が記憶される。
【００４９】
利用者は表示位置選択部２８においてカスタマイズデータ記憶部３０に記憶されているパターンの中から、所望のパターンの表示位置を選択して好みに応じた表示位置にカスタマイズすることができる。
【００５０】
図６は、表示位置のカスタマイズデータに基づいてアイコン画像を表示した場合の画面の一例を示す図である。表示部２３の表示画面は２３１には上部の状態表示領域２３２と下部の状態表示領域２３３が設定されており、アイコン画像は上部の状態表示領域２３２、または下部の状態表示領域２３３に表示される。利用者が表示位置選択部２８により図５に示す表示位置パターン１を選択した場合、例えば、図６に示すように、図９に示す標準的な表示位置に比べ、表示部２３の上部の状態表示領域２３２内または下部の状態表示領域２３３内においてそれぞれのアイコン画像の表示位置が変更される。
【００５１】
図７は、表示位置のカスタマイズデータに基づいてアイコン画像を表示した場合の画面の他の例を示す図である。利用者が表示位置選択部２８により図５に示す表示位置パターン２を選択した場合、例えば、図７に示すように、図９に示す標準的な表示位置に比べ、表示部２３の上部の状態表示領域２３２と下部の状態表示領域２３３の領域を超えてその間においてアイコン画像の表示位置が変更される。
【００５２】
また、表示位置の変更のみならず、表示位置を変更する際にアイコン画像のサイズを変更するように構成してもよい。アイコン画像のサイズを変更するためには、カスタマイズデータ記憶部にサイズの異なるアイコン画像のパターンを予め準備して記憶するように構成すればよい。また、他の方法としては、アイコン画像のデータから演算処理によってその大きさを変更することによって自動的に表示するアイコン画像を変更すに方法も適用可能である。図７においては一部のアイコン画像のサイズが拡大されて表示された例を示している。
【００５３】
このようにアイコン画像の表示位置を変更し、あるいは、アイコン画像のサイズを変更することによって表示部２３における焼きつき現象を抑制することができ、表示部２３を構成するＬＣＤ表示ユニットの劣化を抑制することができるようになる。
【００５４】
なお、アイコン画像の表示位置の変更は、利用者がアイコン画像の形状をカスタマイズした後、計時手段で経過時間を計数し、所定時間経過するごとに所定の順でパターン１〜パターンＮの表示位置を順次変更するように構成してもよく、あるいは、利用者が選択した複数の表示位置パターンを順にまたはランダムに変更するように構成してもよい。
【図面の簡単な説明】
【００５５】
【図１】本発明の実施例にかかるアイコンカスタマイズ機能を備えた携帯電話の構成を示すブロック図である。
【図２】図１の携帯電話の外観を示す外観図である。
【図３】アイコン画像のカスタマイズデータの構成を示す図である。
【図４】アイコン画像のカスタマイズデータの一例を示す図である
【図５】アイコン画像の表示位置を変化させるための表示位置のカスタマイズデータの構成を示す図である。
【図６】表示位置のカスタマイズデータに基づいてアイコン画像を表示した場合の画面の一例を示す図である。
【図７】表示位置のカスタマイズデータに基づいてアイコン画像を表示した場合の画面の他の例を示す図である。
【図８】携帯電話に表示される各種状態表示アイコン画像の一例を示す図である。
【図９】アイコン画像が携帯電話の表示画面に表示された状態を示す図である。
【図１０】アイコン画像によって状態の変化を表示する一例を示す図である。
【符号の説明】
【００５６】
１０・・・携帯電話
１１・・・通話部
１２・・・マイク
１３・・・スピーカ
１４・・・無線部
２１・・・機能制御部
２２・・・主制御部
２３・・・表示部
２４・・・操作部
２５・・・アイコン表示制御部
２６・・・表示メモリ
２７・・・時計部
２８・・・表示位置選択部
２９・・・カスタマイズ処理部
３０・・・カスタマイズデータ記憶部
【図１】
2007180951.tif 000003
【図２】
2007180951.tif 000004
【図３】
2007180951.tif 000005
【図４】
2007180951.tif 000006
【図５】
2007180951.tif 000007
【図６】
2007180951.tif 000008
【図７】
2007180951.tif 000009
【図８】
2007180951.tif 000010
【図９】
2007180951.tif 000011
【図１０】
2007180951.tif 000012